(57)【要約】【課題】  ＩＣカードと内部に非接触型ＩＣを搭載したパスポートとを容易に収容可能であり、且つ、スキミングを確実に防止できる携帯型のケースを提供する。【解決手段】  表側シート１０と、表側シート１０一方の縦縁部で接合されて重ね合わされる裏側シート１００と、２枚のシート２０，３０を重ね合わせて接合した袋部を有し袋部開口側の横縁部を表側シート１０の内側面に接合された第１袋体と、２枚のシート２００，３００を重ね合わせて接合した袋部を有し袋部開口側の横縁部を裏側シート１００の内側面に接合された第２袋体と、第１袋体を成す２枚のシートのうち表側シート１０に接する側のシート２０に設けられた第１電磁遮蔽シート２５と、第２袋体を成す２枚のシートのうち裏側シート１００に接する側のシート２００に設けられた第２電磁遮蔽シート２５０と、表側シート１０と裏側シート１００の一方の横縁部に設けられた第１ファスナー４０と、表側シート１０と裏側シート１００の他方の横縁部及び他方の縦縁部に設けられ第２ファスナー５１，５２とを有するケース。【選択図】      図１
0003130155.tif 000002
【実用新案登録請求の範囲】
【請求項１】
略方形の表側シートと、
前記表側シートと同形状を成し一方の縦縁部にて前記表側シートの一方の縦縁部に接合されて当該表側シートに重ね合わされる裏側シートと、
略方形の２枚のシートを重ね合わせて一方のシートの３縁部を他方のシートに接合した袋部を有し、前記表側シートの内面に当該表側シートの一方の横縁部に沿って袋部開口側の横縁部を接合された第１袋体と、
前記第１袋体を成す２枚のシートのうちで前記表側シートに接する側のシートに一体に設けられた第１電磁遮蔽シートと、
略方形の２枚のシートを重ね合わせて一方のシートの３縁部を他方のシートに接合した袋部を有し、前記裏側シートの内面に当該裏側シートの一方の横縁部に沿って袋部開口側の横縁部を接合された第２袋体と、
前記第２袋体を成す２枚のシートのうちで前記裏側シートに接する側のシートに一体に設けられた第２電磁遮蔽シートと、
前記表側シートと裏側シートの前記一方の横縁部に設けられ、該一方の横縁部にて前記表側シートと裏側シートを接合／開口可能とする第１ファスナーと、
前記表側シートと裏側シートの他方の横縁部及び他方の縦縁部に設けられ、該他方の横縁部及び他方の縦縁部にて前記表側シートと裏側シートを接合／開口可能とする第２ファスナーと、
を有することを特徴とするケース。
【請求項２】
一方の縦縁部で接合された表側シートと裏側シートとの間に形成される空隙にカードと冊子を収納可能なケースであって、
前記表側シートと裏側シートの一方の横縁部に設けられた第１ファスナーと、
前記表側シートと裏側シートの他方の縦縁部と他方の横縁部とに設けられた第２ファスナーと、
前記表側シートの内面に袋部開口側の横縁部を接合することにより前記第１ファスナー側へ開口するように設けられたカード収納用の第１袋体と、
前記裏側シートの内面に袋部開口側の横縁部を接合することにより前記第１ファスナー側へ開口するように設けられたカード収納用の第２袋体と、
前記第１袋体の外側に設けられた第１電磁遮蔽シートと、
前記第２袋体の外側に設けられた第２電磁遮蔽シートと、
を有し、
前記表側シートの内面と前記第１袋体の外面との間の空隙、前記第１袋体の外面と前記第２袋体の外面との間の空隙、前記第２袋体の外面と前記裏側シートの内面との間の空隙に、それぞれ、冊子の前寄り頁、中寄り頁、後寄り頁を、前記第２ファスナー側から挿入して収容可能である、
ことを特徴とするケース。
【請求項３】
請求項１、又は、請求項２に於いて、
前記第２ファスナーは、前記表側シート及び裏側シートの他方の横縁部に設けられた横縁部ファスナーと、前記表側シート及び裏側シートの他方の縦縁部に設けられた縦縁部ファスナーと、の２つのファスナーから成り、両ファスナーの境界部は常開状態である、
ことを特徴とするケース。
【請求項４】
請求項１、又は、請求項２に於いて、
前記第２ファスナーは単一のファスナーで構成され、前記表側シート及び裏側シートの他方の横縁部と他方の縦縁部との境界部分はファスナーのスライダが移動可能な円弧状に形成されている、
ことを特徴とするケース。
【考案の詳細な説明】
【技術分野】
【０００１】
本考案は、非接触型ＩＣを搭載した冊子（パスポート，預金通帳等）やカード（キャッシュカード，住基カード，免許証等）を収納するケースに関する。
詳しくは、収納した冊子やカードに搭載されているＩＣが持つ情報を不正取得から守るスキミング防止機能を備えたケースに関する。
【背景技術】
【０００２】
非接触型のＩＣカードの普及が始まっている。また、パスポート等の冊子への非接触型ＩＣの搭載も行なわれ始めている。これらを身に付けて持ち運ぶ際には、スキミングを防止することが課題となるが、確実に防止できるように持ち運ぶことができる道具は提供されていない。
【０００３】
特開２００５−１９８６９４号公報（特許文献１）には、カードや紙幣を収容するケースであって、カードのスキミングを防止するものが記載されている。
特開２００５−２７９９７５号公報（特許文献２）には、冊子の内部に非接触型ＩＣを搭載した場合のスキミング防止について記載されている。
【特許文献１】特開２００５−１９８６９４
【特許文献２】特開２００５−２７９９７５
【考案の開示】
【考案が解決しようとする課題】
【０００４】
ＩＣカードと、ＩＣカードよりも若干サイズが大きく内部に非接触型ＩＣが搭載された冊子（例：パスポート）とを、別々に、且つ、容易に収容可能／取り出し可能であり、さらに、スキミングを確実に防止できる携帯型のケースは提供されていない。
本考案は、ＩＣカード等のカード類と、ＩＣカードよりも若干サイズが大きく内部に非接触型ＩＣが搭載された冊子（例：パスポート）とを、別々に、且つ、容易に収容可能／取り出し可能であり、さらに、スキミングを確実に防止できる携帯型のケースを提供することを目的とする。
【課題を解決するための手段】
【０００５】
本考案は、下記［１］〜［４］のように構成される。
なお、この項と次項（発明の効果）で付した符号は理解を容易にするためであり、本考案の構成を符号の構成に限定する趣旨ではない。
［１］構成１：
略方形の表側シート１０と、
前記表側シート１０と同形状を成し一方の縦縁部にて前記表側シート１０の一方の縦縁部に接合されて（Ｓ１）当該表側シート１０に重ね合わされる裏側シート１００と、
略方形の２枚のシート２０，３０を重ね合わせて一方のシート３０の３縁部を他方のシート２０に接合した（Ｓ３，Ｓ４，Ｓ５）袋部を有し、前記表側シート１０の内面に当該表側シート１０の一方の横縁部に沿って袋部開口側の横縁部を接合された（Ｓ２）第１袋体と、
前記第１袋体を成す２枚のシート２０，３０のうちで前記表側シート１０に接する側のシート２０に一体に設けられた第１電磁遮蔽シート２５と、
略方形の２枚のシート２００，３００を重ね合わせて一方のシート３００の３縁部を他方のシート２００に接合した（Ｓ７，Ｓ８，Ｓ９）袋部を有し、前記裏側シート１００の内面に当該裏側シート１００の一方の横縁部に沿って袋部開口側の横縁部を接合された（Ｓ６）第２袋体と、
前記第２袋体を成す２枚のシート２００，３００のうちで前記裏側シート１００に接する側のシート２００に一体に設けられた第２電磁遮蔽シート２５０と、
前記表側シート１０と裏側シート１００の前記一方の横縁部に設けられ、該一方の横縁部にて前記表側シート１０と裏側シート１００を接合／開口可能とする第１ファスナー４０と、
前記表側シート１０と裏側シート１００の他方の横縁部及び他方の縦縁部に設けられ、該他方の横縁部及び他方の縦縁部にて前記表側シート１０と裏側シート１００を接合／開口可能とする第２ファスナー５２，５１と、
を有することを特徴とするケース１。
【０００６】
略方形の表側シートとは、本考案の表側シートとしての機能を奏する部分が略方形を成すとの意味である。したがって、本考案の表側シートとしての機能を奏する部分の外側に飾り部分が延設されていてもよい。また、その飾り部分の形状は、本考案のケースの機能を損なわない限り、任意である。
表側シートと裏側シートの一方の縦縁部の接合とは、２枚のシートを接合（例：ヒートシールや高周波ウェルダー等の手法による接合（樹脂シートの場合），接着剤を用いた接合（樹脂シート／布／紙の場合），等）する場合のみならず、１枚のシートを折り畳んで表側シートと裏側シートを構成した場合の折り畳み側の端部であってもよい。
袋部を構成する２枚のシートは、同形状でもよく、また、前記一方が前記他方より狭いシートでもよい。袋部を構成するべく接合される３縁部の中の１縁部は、上述の表側シートと裏側シートの接合に関する定義と同様に、折り畳み側の端部で構成されてもよい。
第１（及び第２）電磁遮蔽シートは、ＩＣカードを読み取る電磁波を遮蔽できるものであればよい。このような電磁遮蔽シートは公知であるため、説明は省略する。電磁遮蔽シートが、「表側（又は裏側）シートに接する側のシート」に一体に設けられるとは、例えば、電磁遮蔽シートが「表側（又は裏側）シートに接する側のシート」に重ね合わせて一体化される構成でもよく、また、「表側（又は裏側）シートに接する側のシート」に代えて、電磁遮蔽シートを「表側（又は裏側）シートに接する側のシート」として兼用する構成でもよい。
第１（及び第２）ファスナーは、エレメント（噛み合う部分）とスライダから成る通常のファスナーでもよく、レールとスライダから成るレールファスナーでもよく、多数の凹部を備えた面を持つ帯状体と多数の凸部を備えた面を持つ帯状体とから成る面ファスナーでもよい。これらの中では、文具の接合／開口部に多く用いられる樹脂製のレールファスナーが好適である。
【０００７】
［２］構成２：
一方の縦縁部で接合された（Ｓ１）表側シート１０と裏側シート１００との間に形成される空隙にカードと冊子を収納可能なケース１であって、
前記表側シート１０と裏側シート１００の一方の横縁部に設けられた第１ファスナー４０と、
前記表側シート１０と裏側シート１００の他方の縦縁部と他方の横縁部とに設けられた第２ファスナー５１，５２と、
前記表側シート１０の内面に袋部開口側の横縁部を接合する（Ｓ２）ことにより前記第１ファスナー４０側へ開口するように設けられたカード収納用の第１袋体と、
前記裏側シート１００の内面に袋部開口側の横縁部を接合する（Ｓ６）ことにより前記第１ファスナー４０側へ開口するように設けられたカード収納用の第２袋体と、
前記第１袋体の外側に設けられた第１電磁遮蔽シート２５と、
前記第２袋体の外側に設けられた第２電磁遮蔽シート２５０と、
を有し、
前記表側シート１０の内面と前記第１袋体の外面との間の空隙、前記第１袋体の外面と前記第２袋体の外面との間の空隙、前記第２袋体の外面と前記裏側シート１００の内面との間の空隙に、それぞれ、冊子の前寄り頁、中寄り頁、後寄り頁を、前記第２ファスナー側５１，５２から挿入して収容可能である、
ことを特徴とするケース１。
用語の意義等は構成１と同様である。
なお、第１袋体の外面、第２袋体の外面とは、袋として見た場合の外側の面をいう。また、第１（又は第２）電磁遮蔽シートが設けられる袋体の外側とは、第１（又は第２）袋体に収容されるカードから見て、表側シート１０（又は裏側シート１００）が位置する側を言い、必ずしも、構成１での第１袋体外側シート２０（又は構成１での第２袋体外側シート２００）と一体でなくてもよい。
【０００８】
上記構成１又は構成２に於いて、第１袋体と第２袋体を、表側シート１０と裏側シート１００が接合される（Ｓ１）一方の縦縁部寄りに設けてもよい。そのようにすると、全体サイズを、冊子（パスポート等）を収容可能な最小限のサイズに設定でき、無駄がない。また、冊子の収容／取り出し作業が容易となる。
また、上記構成１又は構成２に於いて、表側シート１０と裏側シート１００の少なくとも一方を、透光性を有するように構成してもよい。そのようにすると、外から収容物（パスポート等）を視認できる。
また、上記構成１又は構成２に於いて、表側シート１０と裏側シート１００と第１袋体と第２袋体を、例えば、ＰＶＣ、ポリオレフィン（ＰＥ，ＰＰ等）等の軟質樹脂シートで構成してもよい。そのようにすると、収容物（冊子やカード）の収容／取り出し作業が容易となる。
【０００９】
［３］構成３：
構成１、又は、構成２に於いて、
前記第２ファスナーは、前記表側シート１０と裏側シート１００の他方の横縁部に設けられた横縁部ファスナー５２と、前記表側シート１０と裏側シート１００の他方の縦縁部に設けられた縦縁部ファスナー５１と、の２つのファスナーから成り、両ファスナーの境界部は常開状態である、
ことを特徴とするケース１。
上記構成３に於いて、第２ファスナーを構成する横縁部ファスナー５２と縦縁部ファスナー５１のスライダ５２ａ，５１ａとを同色とし、且つ、第１ファスナー４０のスライダ４０ａとは異色としてもよい。そのようにすると、第２ファスナーを操作する場合と第１ファスナーを操作する場合とで、操作すべきスライダの混同を防止できる。
【００１０】
［４］構成４：
構成１、又は、構成２に於いて、
前記第２ファスナーは単一のファスナーで構成され、前記表側シート１０及び裏側シート１００の他方の横縁部と他方の縦縁部との境界部分はファスナーのスライダが移動可能な円弧状に形成されている、
ことを特徴とするケース１。
【考案の効果】
【００１１】
構成１のケース１は、略方形の表側シート１０と、前記表側シート１０と同形状を成し一方の縦縁部にて前記表側シート１０の一方の縦縁部に接合されて（Ｓ１）当該表側シート１０に重ね合わされる裏側シート１００と、略方形の２枚のシート２０，３０を重ね合わせて一方のシート３０の３縁部を他方のシート２０に接合した（Ｓ３，Ｓ４，Ｓ５）袋部を有し前記表側シート１０の内面に当該表側シート１０の一方の横縁部に沿って袋部開口側の横縁部を接合された（Ｓ２）第１袋体と、前記第１袋体を成す２枚のシート２０，３０のうちで前記表側シート１０に接する側のシート２０に一体に設けられた第１電磁遮蔽シート２５と、略方形の２枚のシート２００，３００を重ね合わせて一方のシート３００の３縁部を他方のシート２００に接合した（Ｓ７，Ｓ８，Ｓ９）袋部を有し前記裏側シート１００の内面に当該裏側シート１００の一方の横縁部に沿って袋部開口側の横縁部を接合された（Ｓ６）第２袋体と、前記第２袋体を成す２枚のシート２００，３００のうちで前記裏側シート１００に接する側のシート２００に一体に設けられた第２電磁遮蔽シート２５０と、前記表側シート１０と裏側シート１００の前記一方の横縁部に設けられ該一方の横縁部にて前記表側シート１０と裏側シート１００を接合／開口可能とする第１ファスナー４０と、前記表側シート１０と裏側シート１００の他方の横縁部及び他方の縦縁部に設けられ該他方の横縁部及び他方の縦縁部にて前記表側シート１０と裏側シート１００を接合／開口可能とする第２ファスナー５２，５１と、を有する。
このため、第１ファスナー４０を開いてカードを第１又は第２袋体に収容すると、第１及び第２電磁遮蔽シート２５・２５０によってカードの両面が遮蔽されるため、スキミングを防止できる。また、第１ファスナーのみを開いた状態では冊子を出し入れできないため、冊子が脱落する恐れもない。
一方、第２ファスナー５１，５２を開いて冊子の非接触型ＩＣの搭載頁を第１袋体と第２袋体の各内側シート３０〜３００間に挿入するとともに、ＩＣの搭載頁より前及び後の頁を表側シート１０〜第１袋体の外側シート２０の間又は裏側シート１００〜第２袋体の外側シート２００の間に挿入して収容すると、第１及び第２電磁遮蔽シート２５・２５０によって非接触型ＩＣの搭載頁が両側から遮蔽されるため、スキミングを防止できる。また、第２ファスナー５１，５２のみを開いた状態ではカードを出し入れできないため、カードが脱落する恐れもない。
【００１２】
構成２のケース１は、一方の縦縁部で接合された（Ｓ１）表側シート１０と裏側シート１００との間に形成される空隙にカードと冊子を収納可能なケースであって、前記表側シート１０と裏側シート１００の一方の横縁部に設けられた第１ファスナー４０と、前記表側シート１０と裏側シート１００の他方の縦縁部と他方の横縁部とに設けられた第２ファスナー５１，５２と、前記表側シート１０の内面に袋部開口側の横縁部を接合する（Ｓ２）ことにより前記第１ファスナー４０側へ開口するように設けられたカード収納用の第１袋体と、前記裏側シート１００の内面に袋部開口側の横縁部を接合する（Ｓ６）ことにより前記第１ファスナー４０側へ開口するように設けられたカード収納用の第２袋体と、前記第１袋体の外側に設けられた第１電磁遮蔽シート２５と、前記第２袋体の外側に設けられた第２電磁遮蔽シート２５０と、を有し、前記表側シート１０の内面と前記第１袋体の外面との間の空隙、前記第１袋体の外面と前記第２袋体の外面との間の空隙、前記第２袋体の外面と前記裏側シート１００の内面との間の空隙に、それぞれ、冊子の前寄り頁、中寄り頁、後寄り頁を、前記第２ファスナー５１，５２側から挿入して収容可能である。
このため、第１ファスナー４０を開いてカードを第１又は第２袋体に収容すると、第１及び第２電磁遮蔽シート２５・２５０によってカードの両面が遮蔽されるため、スキミングを防止できる。また、第１ファスナー４０のみを開いた状態では冊子を出し入れできないため、冊子が脱落する恐れもない。
一方、第２ファスナー５１，５２を開いて冊子の非接触型ＩＣの搭載頁（中寄り頁）を第１袋体の外面と第２袋体の外面との間の空隙に、前寄り頁と後寄り頁をそれぞれ表側シート１０の内面と第１袋体の外面との間の空隙又は第２袋体の外面と裏側シート１００の内面との間の空隙に、それぞれ挿入して収容すると、第１及び第２電磁遮蔽シート２５・２５０によって非接触型ＩＣの搭載頁の両面が遮蔽されるためスキミングを防止できる。また、第２ファスナー５１，５２のみを開いた状態ではカードを出し入れできないため、カードが脱落する恐れもない。
【００１３】
構成３のケース１は、構成１又は構成２に於いて、前記第２ファスナーは、前記表側シート１０及び裏側シート１００の他方の横縁部に設けられた横縁部ファスナー５２と、前記表側シート１０及び裏側シート１００の他方の縦縁部に設けられた縦縁部ファスナー５１との２つのファスナーから成り、両ファスナーの境界部は常開状態であるため、表側シート１０及び裏側シート１００の他方の横縁部と他方の縦縁部との境界部分を鋭角に構成できる。
構成４のケース１は、構成１又は構成２に於いて、前記第２ファスナーは単一のファスナーで構成され、前記表側シート１０と裏側シート１００の他方の横縁部と他方の縦縁部の境界部分はファスナーのスライダが移動可能な円弧状に形成されているため、第２ファスナーの操作を一回の動作で行なうことができる。
【考案を実施するための最良の形態】
【００１４】
図面を参照して、本発明の実施の形態を説明する。図１は実施の形態のケース１の模式的な分解斜視図、図２（ａ）は実施の形態のケース１の上面図、（ｂ）は図１内に一点鎖線矢印Ｘで示すように見た上面図、図３（ａ）はＩＣカードを収容するべく第１ファスナー４０を開いた状態を該第１ファスナー４０の方向から見た説明図、（ｂ）は冊子（パスポート）を収容するべく第２ファスナー５１，５２を開いた状態を該第２ファスナー５１，５２の境界部付近から見た説明図である。
【００１５】
図示のように、本実施の形態のケース１は、表側シート１０と、裏側シート１００と、第１袋体（第１袋体外側シート２０，第１袋体内側シート３０）と、第１電磁遮蔽シート２５と、第２袋体（第２袋体外側シート２００，第２袋体内側シート３００）と、第２電磁遮蔽シート２５０と、第１ファスナー４０と、第２ファスナー５１，５２を有する。
【００１６】
表側シート１０、裏側シート１００、第１袋体（第１袋体外側シート２０，第１袋体内側シート３０）、第２袋体（第２袋体外側シート２００，第２袋体内側シート３００）としては、本例では、軟質で可撓性を有するＰＶＣ（厚さ：０．２ｍｍ）を用いている。なお、他に、ポリオレフィン（ＰＥ，ＰＰ等）を用いることもできる。
第１及び第２電磁遮蔽シート２５，２５０としては、周知のシートを用いている。
【００１７】
第１ファスナー４０、第２ファスナー５１，５２としては、本例では、レールファスナーを用いている。４０ａは第１ファスナー４０に装着されるスライダであり、５１ａ，５２ａは第２ファスナー５１，５２に装着されるスライダである。
また、４０１は、表側シート１０と裏側シート１００を重ね合わせた状態で第１ファスナー４０の端部（表側シート１０と裏側シート１００の非接合側の端部；図２（ａ）で左端部）に金具をかしめることによって取り付けられたストッパ（スライダ４０ａ用のストッパ）である。
また、５０１は、第２ファスナー５１のレールを構成する要素の中で表側シート１０に設けられる要素部分の端部（第２ファスナー５２との境界部寄りの端部；図２（ａ）で下端部）に金具をかしめることによって取り付けられたストッパ（スライダ５１ａ，５２ａで共用されるストッパ）である。
また、５０２は、第２ファスナー５１のレールを構成する要素の中で裏側シート１００に設けられる要素部分の端部（第２ファスナー５２との境界部寄りの端部；図２（ｂ）で左端部）に金具をかしめることによって取り付けられたストッパ（スライダ５１ａ，５２ａで共用されるストッパ）である。
スライダ５１ａと５２ａは同色であるが、スライダ４０ａは異色である。このように第１ファスナーと第２ファスナーとでスライダの色を異ならせているため、第２ファスナー５１／５２を開閉操作すべきときに、第１ファスナー４０のスライダ４０ａを誤って操作するという間違いを防止することができる。
なお、第１ファスナーや第２ファスナーとしては、エレメント（噛み合う部分）とスライダから成る通常のファスナーや、多数の凹部を備えた面を持つ帯状体と多数の凸部を備えた面を持つ帯状体とから成る面ファスナーを用いることもできる。
【００１８】
表側シート１０と裏側シート１００は、一方の縦縁部（図２で右側の縁部）にて接合されている。接合部をＳ１と破線両矢印で示す。接合する手法としては、例えば、ヒートシール、高周波ウエルダ等の公知の手法を、表側シート１０や裏側シート１００の材質に応じて適宜に選択して用いることができる。以下の各接合部に関しても同様とする。
なお、本例では、表側シート１０と裏側シート１００を接合しているが、これに代えて、１枚のシートを折り畳むことにより表側シート１０と裏側シート１００を構成してもよい。請求項の「表側シートと裏側シートの接合」は、このような場合をも含む。
【００１９】
第１袋体は、第１袋体中側シート３０の３つの縁部を、第１袋体外側シート２０に接合することにより構成されている。接合部をＳ３〜Ｓ５とそれぞれの破線両矢印で示す。接合部Ｓ３〜Ｓ５の中の一つ（例：接合部Ｓ４）は、表側シート１０と裏側シート１００の接合部Ｓ１の場合と同様に、１枚のシートを折り畳むことによって構成してもよい。
第１袋体外側シート２０には第１電磁遮蔽シート２５が一体に設けられている。本例では、第１袋体外側シート２０が２層構造を成し、該２層構造の中間に第１電磁遮蔽シート２５を介挿して中間層とすることで一体化させているが、第１袋体外側シート２０の一方の面（表側シート１０に面する面（袋体外側シート２０の外面），又は，中側シート３０に面する面（袋体外側シート２０の内面））に貼付して一体化させてもよい。また、第１袋体外側シート２０として電磁遮蔽機能を奏するシートを用いてもよい。即ち、第１袋体外側シート２０と電磁遮蔽シート２５とを兼用してもよい。また、視認性は犠牲になるが、表側シート１０に一体化させてもよい。
かかる第１袋体は、第１袋体外側シート２０の開口部側の縁部を、表側シート１０の内面（裏側シート１００に面する側）に、該表側シート１０の一方の横縁部（第１ファスナー４０の側の横縁部）に沿って接合することにより、表側シート１０に取り付けられている。接合部をＳ２と破線両矢印で示す。
【００２０】
第２袋体は、第２袋体中側シート３００の３つの縁部を、第２袋体外側シート２００に接合することにより構成されている。接合部をＳ７〜Ｓ９とそれぞれの破線両矢印で示す。接合部Ｓ７〜Ｓ９の中の一つ（例：接合部Ｓ８）は、表側シート１０と裏側シート１００の接合部Ｓ１の場合と同様に、１枚のシートを折り畳むことにより構成してもよい。
第２袋体外側シート２００には第２電磁遮蔽シート２５０が一体に設けられている。本例では、第２袋体外側シート２００が２層構造を成し、該２層構造の中間に第２電磁遮蔽シート２５０を介挿して中間層とすることにより一体化させているが、第２袋体外側シート２００の一方の面（裏側シート１００に面する面（袋体外側シート２００の外面），又は，第１袋体に面する面（袋体外側シート２００の内面））に貼付して一体化させてもよい。また、第２袋体外側シート２００として電磁遮蔽機能を奏するシートを用いてもよい。即ち、第２袋体外側シート２００と電磁遮蔽シート２５０とを兼用してもよい。また、視認性は犠牲になるが、裏側シート１００に一体化させてもよい。
かかる第２袋体は、第２袋体外側シート２００の開口部側の縁部を、裏側シート１００の内面（表側シート１０に面する側）に、該裏側シート１００の一方の横縁部（第１ファスナー４０の側の横縁部）に沿って接合することにより、裏側シート１００に取り付けられている。接合部をＳ６と破線両矢印で示す。
【００２１】
本ケースの使用方法を説明する。
ＩＣカードは、第１袋体又は第２袋体へ、図２（ａ）の如く収容する。即ち、スライダ４０ａを図の実線位置（図２（ａ）で右端位置）へ移動させて第１ファスナー４０を開状態にして収容する。この開状態を、カード挿入方向から見た図が、図３（ａ）である。収容後は、スライダ４０ａを図の破線位置（図２（ａ）で左端位置）へ移動させて第１ファスナー４０を閉状態にして、カードの脱落を防止する。
第１袋体又は第２袋体へ収容されたＩＣカードは、第１電磁遮蔽シート２５と第２電磁遮蔽シート２５０とに挟まれるため、不正な読み取りから保護される。
また、第１ファスナー４０を開いたとしても、冊子（パスポート）の背表紙が第１袋体と第２袋体とに係止されていて第１ファスナー４０の方向への移動が邪魔されるため、第２ファスナー５１，５２を開かない限り、第１ファスナー４０の開口から冊子（パスポート）が脱落することはない。
また、第１ファスナー４０の開口部側から見た場合、冊子（パスポート）は、その反背表紙側が位置しているため、冊子（パスポート）がカードの収容／取り出し動作の邪魔になることもない。
【００２２】
パスポート（冊子）は、図３（ｂ）の如く、非接触型ＩＣが搭載されている頁を第１袋体中側シート３０と第２袋体中側シート３００の間（第１袋体の外面と第２袋体の外面との間の空隙）に挿入し、且つ、ＩＣ搭載頁より前の頁群（又は後の頁群）を、表側シート１０と第１袋体外側シート２０の間（表側シート１０の内面と第１袋体の外面との間の空隙）、又は、裏側シート１００と第２袋体外側シート２００の間（第２袋体の外面と裏側シート１００の内面との間の空隙）に挿入することにより、本ケースへ収容する。
この収容操作は、スライダ５１ａと５２ａを図の実線位置（図２（ａ）で、スライダ５１ａは上端位置，スライダ５２ａは右端位置）へ移動させて第２ファスナー５１と５２を開状態にすることにより可能となる。
収容後は、スライダ５１ａと５２ａを図の破線位置（図２（ａ）で、スライダ５１ａは下端位置，スライダ５２ａは左端位置）へ移動させて第２ファスナー５１と５２を閉状態にして、冊子（パスポート）の脱落を防止する。なお、スライダ５１ａ，５２ａの閉方向への移動はストッパ５０１，５０２によって止められるため、スライダ５１ａ，５２ａがレールから脱落することはない。
このように収容されたパスポートは、非接触型ＩＣの搭載頁が第１電磁遮蔽シート２５と第２電磁遮蔽シート２５０とに挟まれるため、不正な読み取りから保護される。
また、第２ファスナー５１，５２を開いたとしても、カード収容用の第１袋体や第２袋体は、その底部側が第２ファスナー５１，５２の側を向いているため、第１ファスナー４０を開かない限り、カードが脱落することはない。
【００２３】
本例では、表側シート１０及び裏側シート１００が透光性を有するため、収容したパスポート（冊子）をそのままで視認することができる。
また、本例では、表側シート１０、裏側シート１００、第１袋体（第１袋体外側シート２０，第１袋体内側シート３０）、第２袋体（第２袋体外側シート２００，第２袋体内側シート３００）が軟質樹脂製で可撓性を有するため、カードの収容／抜き出し操作、パスポート（冊子）の収容／抜き出し操作が容易である。
【００２４】
また、本例では、第２ファスナーを、二つのファスナー５１，５２を用いて構成しているが、これに代えて、単一のファスナーで構成してもよい。その場合は、二つで構成した場合の境界部に相当する部位を円弧状にすると、スライダの移動を滑らかにすることができるとともに、ストッパ５０１，５０２を不要にできる。
また、本例では、表側シート１０と裏側シート１００を同じ形状としているが、少なくとも一方のシート（表側シート１０又は裏側シート１００）を横方向（両シートが接合されていない方向；図２（ａ）で左方向）へ延設すると、例えば航空機の搭乗券のような長細いシートであっても、第２ファスナーの一方（縦縁部ファスナー）５１を開けておくことで、容易に収容することができる。
また、上記では、ＩＣカードとパスポートを収容する例を述べたが、他のカード類や冊子類（預金通帳等）を収容可能なことは勿論である。
【図面の簡単な説明】
【００２５】
【図１】実施の形態のケースの模式的な分解斜視図。
【図２】（ａ）は実施の形態のケースの上面図、（ｂ）は図１内に破線矢印Ｘで示す方向から見た上面図。
【図３】（ａ）はＩＣカードを収容するべく第１ファスナー４０を開いた状態を該第１ファスナー４０の方向から見た説明図、（ｂ）はパスポートを収容するべく第２ファスナー５１と５２を開いた状態を該第２ファスナー５１と５２の境界部付近から見た説明図。
【符号の説明】
【００２６】
１  ケース
１０  表側シート
２０  第１袋体を構成するシート（第１袋体外側シート）
２５  第１電磁遮蔽シート
３０  第１袋体を構成するシート（第１袋体中側シート）
１００  裏側シート
２００  第２袋体を構成するシート（第２袋体外側シート）
２５０  第２電磁遮蔽シート
３００  第２袋体を構成するシート（第２袋体中側シート）
４０  第１ファスナー（レールファスナー）
４０ａ  第１ファスナーのスライダ
４０１  ストッパ
５１  第２ファスナー（レールファスナー）
５１ａ  第２ファスナー５１のスライダ
５２  第２ファスナー（レールファスナー）
５２ａ  第２ファスナー５２のスライダ
５０１  ストッパ
５０２  ストッパ
Ｓ１  表側シート１０と裏側シート１００の接合部
Ｓ２  表側シート１０と第１袋体外側シート２０の接合部
Ｓ３〜Ｓ５  第１袋体外側シート２０と第１袋体中側シート３０の接合部
Ｓ６  裏側シート１００と第２袋体外側シート２００の接合部
Ｓ７〜Ｓ９  第２袋体外側シート２００と第２袋体中側シート３００の接合部
【図１】
0003130155.tif 000003
【図２】
0003130155.tif 000004
【図３】
0003130155.tif 000005